(57)【要約】【課題】  採尿受器を寝具の端部上方に寝具の端面に沿って保持することができ、また、採尿受器を採尿受器ホルダに自由に動かせるように遊嵌して載置していることから、寝具に横臥している人が自ら採尿受器を容易に引き寄せることができる採尿受器保持装置を提供することにある。【解決手段】  下端が基台の起立板部に固定され上方に起立するホルダ用保持板とホルダ用保持板の上端に設けられ採尿受器を遊嵌して載置する採尿受器ホルダとを有する採尿受器保持手段とを備えることを特徴とする。【選択図】図１
2009247757.tif 000002
【特許請求の範囲】
【請求項１】
尿瓶や採尿ボトル等の採尿器に連通した輸尿管の先端に設けられた寝具に横臥した人の尿器に密接して排尿を受ける採尿受器を、該寝具に配設する採尿受器保持装置において、
薄板を略Ｌ字状に折曲した底板部と起立板部と有する基台と、
下端が該基台の起立板部に固定され上方に起立するホルダ用保持板と該ホルダ用保持板の上端に設けられ該採尿受器を遊嵌して載置する採尿受器ホルダとを有する採尿受器保持手段とを備えることを特徴とする採尿受器保持装置。
【請求項２】
前記採尿受器ホルダが、前記寝具の中央方向に向かって水平に回動可能に前記ホルダ用上部保持板に設けられ、
該採尿受器ホルダを回動させることにより、前記採尿受器が該寝具に横臥した人に向かって該寝具の端部から突出することを特徴とする請求項１記載の採尿受器保持装置。
【請求項３】
前記ホルダ用保持板が、
下端が前記基台の起立板部に扇動可能に固定され上方に起立するホルダ用下部保持板と、
下端が該ホルダ用下部保持板に扇動可能に固定され上方に起立するホルダ用上部保持板とからなり、
該ホルダ用下部保持板と該ホルダ用上部保持板とを連結部分で屈曲させることができることを特徴とする請求項１又は請求項２記載の採尿受器保持装置。
【請求項４】
前記ホルダ用下部保持板と前記ホルダ用上部保持板のそれぞれに起立方向に沿って長穴が穿設され、
それぞれの該長穴に挿嵌されたネジ部材で該ホルダ用下部保持板と該ホルダ用上部保持板とが屈曲可能に連結されていることを特徴とする請求項３記載の採尿受器保持装置。
【請求項５】
前記ホルダ用下部保持板の長穴と前記基台の起立板部とに挿嵌されたネジ部材で、ホルダ用下部保持板を該起立板部に扇動可能に固定することを特徴とする請求項４記載の採尿受器保持装置。
【請求項６】
前記基台の起立板部に上下に伸びて長穴が穿設され、
前記ホルダ用保持板と該長穴とに挿嵌されたネジ部材で、該ホルダ用保持板を該起立板部に扇動可能に固定することを特徴とする請求項１〜請求項５の採尿受器保持装置。
【請求項７】
下端が前記基台の起立板部に固定され、上端が前記ホルダ用保持板の略中央に固定された補助保持板を備えることを特徴とする請求項１〜請求項６のいずれかに記載の採尿受器保持装置。
【請求項８】
下端が該基台の起立板部に固定され上方に起立する輸尿管用保持板と該輸尿管用保持板の上端に設けられ前記輸尿管を遊嵌して保持する輸尿管ホルダとを有する輸尿管保持手段を備えることを特徴とする請求項１〜請求項７のいずれかに記載の採尿受器保持装置。
【請求項９】
前記輸尿管用保持板が、
下端が前記基台の起立板部に扇動可能に固定され上方に起立する輸尿管用下部保持板と、
下端が該輸尿管用下部保持板に扇動可能に固定され上方に起立する輸尿管用上部保持板とからなり、
該輸尿管用下部保持板と該輸尿管用上部保持板とを連結部分で屈曲させることを特徴とする請求項８記載の採尿受器保持装置。
【請求項１０】
前記輸尿管用下部保持板と前記輸尿管用上部保持板のそれぞれに起立方向に沿って長穴が穿設され、
それぞれの該長穴に挿嵌されたネジ部材で該輸尿管用下部保持板と該輸尿管用上部保持板とが屈曲可能に連結されていることを特徴とする請求項９記載の採尿受器保持装置。
【発明の詳細な説明】
【技術分野】
【０００１】
本発明は、尿瓶や採尿ボトル等の採尿器に連通した輸尿管の先端に設けられた寝具に横臥した人の尿器に密接して排尿を受ける採尿受器を、寝具に配設する採尿受器保持装置に関する。
【背景技術】
【０００２】
従来より、人がベッド等の寝具上に横臥した状態のままで、排尿を受ける採尿手段が各種提案されている。本件発明者も特許文献１に示されるような採尿具を提案している。具体的には、特許文献１に示される採尿具は、採尿ボトルと採尿ボトルへ可撓性の尿管を介して連結された採尿カップとで構成されている。そして、採尿ボルト及び採尿カップは、ベッドの脇に設けられた箱状のボルト受け及びカップ受けに格納される。
【０００３】
また、特許文献２に示されるように、人の尿器に密接して排尿を受ける採尿受器の部分を、ベッドの脇に保持する手段が提案されている。具体的には、特許文献２に示される屎尿器用ホルダはベッドの手摺り部分に吊り下げられた帯状部材で、屎尿器用ホルダに排尿受器を取り出し可能に収納している。
【特許文献１】特開２００６−３２６０５２号公報
【特許文献２】特開２０００−３００６２７号公報
【発明の開示】
【発明が解決しようとする課題】
【０００４】
しかしながら、従来の屎尿器用ホルダでは、手摺り部分に吊り下げる構造であるため、畳の上に布団をひいた状態では、使用できないという問題があった。また、寝具に横臥したままの状態で排尿受器を帯状部材から取り出すためには、体を横に向けたり大きく手を伸ばしたりする必要があり、寝ている本人が自ら帯状部材から排尿受器を取り出すことは困難であった。
【０００５】
本発明は、このような事情に鑑みてなされたもので、採尿受器を寝具の端部上方に寝具の端面に沿って保持することができ、また、採尿受器を採尿受器ホルダに自由に動かせるように遊嵌して載置していることから、寝具に横臥している人が自ら採尿受器を容易に引き寄せることができる採尿受器保持装置を提供することにある。
【課題を解決するための手段】
【０００６】
請求項１記載の採尿受器保持装置は、下端が基台の起立板部に固定され上方に起立するホルダ用保持板とホルダ用保持板の上端に設けられ採尿受器を遊嵌して載置する採尿受器ホルダとを有する採尿受器保持手段とを備えることを特徴とする。
【０００７】
請求項２記載の採尿受器保持装置は、採尿受器ホルダが、寝具の中央方向に向かって水平に回動可能にホルダ用上部保持板に設けられ、採尿受器ホルダを回動させることにより、採尿受器が寝具に横臥した人に向かって寝具の端部から突出することを特徴とする。
【０００８】
請求項３記載の採尿受器保持装置は、ホルダ用保持板が、下端が記基台の起立板部に扇動可能に固定され上方に起立するホルダ用下部保持板と、下端がホルダ用下部保持板に扇動可能に固定され上方に起立するホルダ用上部保持板とからなり、ホルダ用下部保持板とホルダ用上部保持板とを連結部分で屈曲させることができることを特徴とする。
【０００９】
請求項４記載の採尿受器保持装置は、ホルダ用下部保持板とホルダ用上部保持板のそれぞれに起立方向に沿って長穴が穿設され、それぞれの長穴に挿嵌されたネジ部材でホルダ用下部保持板とホルダ用上部保持板とが屈曲可能に連結されていることを特徴とする。
【００１０】
請求項５記載の採尿受器保持装置は、ホルダ用下部保持板の長穴と基台の起立板部とに挿嵌されたネジ部材で、ホルダ用下部保持板を起立板部に扇動可能に固定することを特徴とする。
【００１１】
請求項６記載の採尿受器保持装置は、基台の起立板部に上下に伸びて長穴が穿設され、ホルダ用保持板と長穴とに挿嵌されたネジ部材で、ホルダ用保持板を起立板部に扇動可能に固定することを特徴とする。
【００１２】
請求項７記載の採尿受器保持装置は、下端が基台の起立板部に固定され、上端がホルダ用保持板の略中央に固定された補助保持板を備えることを特徴とする。
【００１３】
請求項８記載の採尿受器保持装置は、下端が基台の起立板部に固定され上方に起立する輸尿管用保持板と輸尿管用保持板の上端に設けられ輸尿管を遊嵌して保持する輸尿管ホルダとを有する輸尿管保持手段を備えることを特徴とする。
【００１４】
請求項９記載の採尿受器保持装置は、輸尿管用保持板が、下端が基台の起立板部に扇動可能に固定され上方に起立する輸尿管用下部保持板と、下端が輸尿管用下部保持板に扇動可能に固定され上方に起立する輸尿管用上部保持板とからなり、輸尿管用下部保持板と輸尿管用上部保持板とを連結部分で屈曲させることを特徴とする。
【００１５】
請求項１０記載の採尿受器保持装置は、輸尿管用下部保持板と輸尿管用上部保持板のそれぞれに起立方向に沿って長穴が穿設され、それぞれの長穴に挿嵌されたネジ部材で輸尿管用下部保持板と輸尿管用上部保持板とが屈曲可能に連結されていることを特徴とする。
【発明の効果】
【００１６】
請求項１の発明によれば、下端が基台の起立板部に固定され上方に起立するホルダ用保持板とホルダ用保持板の上端に設けられ採尿受器を遊嵌して載置する採尿受器ホルダとを有する採尿受器保持手段とを備えることから、基台の底板部を寝具の端部裏面に挿入することで、手摺りがないような布団やベッド等の寝具であっても、採尿受器を寝具の端部上方に寝具の端面に沿って保持することができる。また、採尿受器を採尿受器ホルダに自由に動かせるように遊嵌して載置していることから、寝具に横臥している人が自ら採尿受器を容易に引き寄せることができる。
【００１７】
請求項２の発明によれば、採尿受器ホルダを回動させることにより採尿受器が寝具に横臥した人に向かって寝具の端部から突出することから、採尿受器を持ったまま自らの体の近くに引き寄せなくとも、採尿受器ホルダに載置させて状態のまま採尿受器を体の近くまで移動させることができることから、採尿受器を使用する人の負担を軽減することができる。
【００１８】
請求項３の発明によれば、ホルダ用下部保持板とホルダ用上部保持板とを連結部分で屈曲させることにより、寝具の高さや寝具に横臥する人の体の高さに応じて、容易に採尿受器ホルダの保持高さを変えることができる。
【００１９】
請求項４の発明によれば、ホルダ用下部保持板とホルダ用上部保持板のそれぞれに起立方向に沿って長穴が穿設され、それぞれの長穴に挿嵌されたネジ部材でホルダ用下部保持板とホルダ用上部保持板とが屈曲可能に連結されていることから、連結する長穴の位置を変えることによりホルダ用保持板の長さ自体を変えることができ、容易に採尿受器ホルダの保持高さを変えることができる。
【００２０】
請求項５の発明によれば、ホルダ用下部保持板の長穴と基台の起立板部とに挿嵌されたネジ部材で、ホルダ用下部保持板を起立板部に扇動可能に固定することで、固定する長穴の位置を変えて起立板部に対するホルダ用下部保持板の長さを変えることができ、容易に採尿受器ホルダの保持高さを変えることができる。
【００２１】
請求項６の発明によれば、基台の起立板部に上下に伸びて長穴が穿設され、ホルダ用保持板と長穴とに挿嵌されたネジ部材で、ホルダ用保持板を起立板部に扇動可能に固定することで、ホルダ用保持板の高さ自体を変えることができ、容易に採尿受器ホルダの保持高さを変えることができる。
【００２２】
請求項７の発明によれば、下端が基台の起立板部に固定され、上端がホルダ用保持板の略中央に固定された補助保持板を備えることから、採尿受器ホルダに強い力が加わっても採尿受器ホルダが傾いたり転倒したりすることを抑えることができる。
【００２３】
請求項８の発明によれば、下端が基台の起立板部に固定され上方に起立する輸尿管用保持板と輸尿管用保持板の上端に設けられ輸尿管を遊嵌して保持する輸尿管ホルダとを有する輸尿管保持手段を備えることから、採尿受器保持手段と採尿器との間の輸尿管を保持することで、輸尿管のたわみを抑え、輸尿管が寝具に横臥している人や介護する人の動作の妨げにならないようにすることができる。
【００２４】
請求項９の発明によれば、輸尿管用下部保持板と輸尿管用上部保持板とを連結部分で屈曲させることにより、輸尿管ホルダの保持高さを変えることにより、輸尿管を、採尿受器で採尿した尿が輸尿管を通って逆流することなく採尿器に流れ込むような角度に容易に保持することができる。
【００２５】
請求項１０の発明によれば、それぞれの長穴に挿嵌されたネジ部材で輸尿管用下部保持板と輸尿管用上部保持板とが屈曲可能に連結されていることから、連結する長穴の位置を変えることにより輸尿管用保持板の長さ自体を変えることができ、容易に輸尿管の保持高さを変えることができる。
【発明を実施するための最良の形態】
【００２６】
以下、本発明の形態について図面を参照しながら具体的に説明する。本発明の形態における採尿受器保持装置は、尿瓶や採尿ボトル等の採尿器に連通した輸尿管の先端に設けられた寝具に横臥した人の尿器に密接して排尿を受ける採尿受器を寝具に配設するためのものである。図１は、本発明に係る採尿受器保持装置の使用の一例を示す説明図である。図２は、同採尿受器保持装置の構成を示す説明図である。図３は、同採尿受器保持装置の基台を示す斜視図である。図４は、同採尿受器保持装置の採尿受器ホルダを示す上面図である。図５は、同採尿受器保持装置の使用方法を示す説明図である。図６は、同採尿受器保持装置の他の使用方法を示す説明図である。図７は、同採尿受器保持装置のさらに他の使用方法を示す説明図である。
【００２７】
図において、採尿受器保持装置１は、基台１０、ホルダ用保持板２０、採尿受器ホルダ３０、輸尿管保持板４０、輸尿管ホルダ４６等から構成されている。ここで、採尿受器保持装置１が保持する採尿受器とは、例えば、図１に示すような、横臥した人の尿器に密接して排尿を受ける採尿受器９で、ベッド４の脇に採尿ボトル・ホルダ７ａで配設された尿を貯める採尿ボトル７に輸尿管８を介して連結されている。尚、本実施の形態に係る採尿受器保持装置１で保持可能な採尿受器としては、図に示す物の他、横臥した人の尿器に密接して排尿を受ける構造で、チューブ状等の輸尿管を介して採尿するものであればよい。
【００２８】
基台１０は、図３に示すように、板材を略Ｌ字状に屈曲させ起立板部１１と底板部１２とを形成している。底板部１２は、ベッド４と寝具５との間に差し込まれる部分で、寝具５の端部裏面に深くもぐり込ませて採尿受器保持装置１を寝具５に固定するのに十分な長さである。長さの目安としては、寝具５に横臥する人の体の下にまで到達する長さにするのが好ましい。基台１０の起立板部１１は、起立する上部端面が円弧状になっており、中央に上下に伸びる長穴１１ａが穿設されている。また、起立板部１１の左右下端部近辺には、それぞれ穴１１ｂ，１１ｃが穿設されている。
【００２９】
ホルダ用保持板２０は、下端が基台１０の起立板部１１の長穴１１ａに固定され、上方に起立する板材である。そして、ホルダ用保持板２０の上端には、採尿受器保持手段である採尿受器９を遊嵌して保持する採尿受器ホルダ３０が設けられている。具体的には、ホルダ用保持板２０は、ホルダ用下部保持板２４、ホルダ用上部保持板２８、Ｌ字板３５等から構成されている。ホルダ用下部保持板２４及びホルダ用上部保持板２８は、細長の長方形の板材で、長手方向に沿って中央部分に長穴２４ａ，２８ａがそれぞれ穿設されている。そして、その長穴２４ａ，２８ａに挿嵌されたネジ部材２７でホルダ用下部保持板２４とホルダ用上部保持板２８とが屈曲可能に連結されている。そして、ホルダ用保持板２０の下端すなわちホルダ用下部保持板２４の長穴２４ａの下部と、基台１０の起立板部１１の長穴１１ａとに挿嵌されたネジ部材２６によって、ホルダ用保持板２０が、基台１０の起立板部１１から起立した状態で、扇動可能に固定されている。
【００３０】
ホルダ用保持板２０の上端すなわちホルダ用上部保持板２８の長穴２８ａの上部には、ネジ部材２９を介して、逆Ｌ字状の板材であるＬ字板３５が固定されている。そして、図４に示すように、Ｌ字板３５の上面に採尿受器ホルダ３０が載置される形でネジ部材３６を介して固定されている。採尿受器ホルダ３０は、図４に示すように、長方形の板材を屈曲したもので、長手方向の両端部の一部を上方に湾曲して起立するように屈曲させ、輸尿管８が通過して保持されるホールド部３１，３２が形成されている。また、ホールド部３２の上端部には、断面略Ｃ字状に湾曲したホールド鍔３３を有している。そして、採尿受器ホルダ３０の長手方向の両端部が湾曲していない平面部分は、採尿受器９を乗せる載置部３４となっている。尚、Ｌ字板３５と固定される採尿受器ホルダ３０の部分は、長手方向で載置部３４とは逆の端部付近の底面である。
【００３１】
本実施の形態の採尿受器保持装置１のホルダ用保持板２０には、下端が基台１０の起立板部１１に固定され、上端がホルダ用保持板２０の略中央に固定された補助保持板２１を備えている。具体的には、補助保持板２１は、下部補助保持板２１ａと上部補助保持板２１ｂとから構成されている。下部補助保持板２１ａ及び上部補助保持板２１ｂは、細長の長方形の板材で、下部補助保持板２１ａの上端と上部補助保持板２１ｂの下端が軸部材２３で屈曲可能に連結されている。そして、補助保持板２１の下端すなわち下部補助保持板２１ａの下端が、基台１０の起立板部１１の穴１１ｂにネジ部材２２を介して固定されている。また、補助保持板２１の上端すなわち上部補助保持板２１ｂの上端が、ホルダ用下部保持板２４の長穴２４ａの上部にネジ部材２５を介して接続されている。尚、上部補助保持板２１ｂの上端が接続されるのは、好ましくはホルダ用保持板２０の上下方向の略中央であり、ホルダ用上部保持板２８の長穴２８ａの下部であってもよい。
【００３２】
本実施の形態の採尿受器保持装置１は、輸尿管８を保持するための輸尿管保持手段を備えている。具体的には、輸尿管保持板４０であり、下端が基台１０の起立板部１１に固定され上方に起立し、輸尿管用保持板４０の上端には輸尿管８を遊嵌して保持する輸尿管ホルダ４６を備えている。この輸尿管保持板４０は、輸尿管用下部保持板４１及び輸尿管用上部保持板４４から構成されている。輸尿管用下部保持板４１及び輸尿管用上部保持板４４は、細長の長方形の板材で、長手方向に沿って中央部分に長穴４１ａ，４４ａがそれぞれ穿設されている。そして、その長穴４１ａ，４４ａに挿嵌されたネジ部材４３で輸尿管用下部保持板４１及び輸尿管用上部保持板４４とが屈曲可能に連結されている。そして、輸尿管用保持板４０の下端すなわち輸尿管用下部保持板４１の長穴４１ａの下部と、基台１０の起立板部１１の穴１１ｃとに挿嵌されたネジ部材４２によって、輸尿管用保持板４０が、基台１０の起立板部１１から起立した状態で、扇動可能に固定されている。そして、輸尿管用保持板４０の上端すなわち輸尿管用上部保持板４４の上端には、板材を湾曲させフック状にした輸尿管ホルダ４６が軸部材４５を介して扇動自在に固定されている。
【００３３】
次に、以上のような構造の採尿受器保持装置１の使用方法を説明する。まず、採尿受器保持装置１の基台１０の底板部１２を寝具５の端部裏面で、寝具５とベッド４との間に挿入し、図５に示すように、採尿受器保持装置１を寝具５の脇端部のほぼ中央に固定させる。
【００３４】
次に、図２及び図６に示すように、寝具５の高さに合わせて採尿受器ホルダ３０及び輸尿管ホルダ４６の高さを変えるべく、ホルダ用保持板２０及び輸尿管保持板４０を調整する。具体的には、ホルダ用保持板２０の場合には、ネジ部材２６，２７，２９を緩めて、ホルダ用下部保持板２４及びホルダ用上部保持板２８の屈曲の角度を変えたり、ホルダ用下部保持板２４が固定されている長穴１１ａの位置を変えたりする。また、図６に示すように、ホルダ用下部保持板２４及びホルダ用上部保持板２８の連結位置を、ネジ部材２７が挿嵌されている長穴２４ａ，２８ａの位置を変えることにより変え、ホルダ用保持板２０自体の長さを変えつつ、採尿受器ホルダ３０の高さを変えるようにしてもよい。尚、採尿受器ホルダ３０の高さは、図１及び図５に示すように、寝具５に横臥した人の高さよりわずかに高い位置になるのが望ましい。尚、ホルダ用保持板２０の屈伸に追従して、補助保持板２１も屈伸することになる。
【００３５】
また、採尿受器ホルダ３０の高さを調整するのと併せて、輸尿管保持板４０で輸尿管ホルダ４６の高さを調整する。採尿受器ホルダ３０の高さとしては、採尿受器９で採尿した尿が輸尿管８を通って逆流することなく採尿ボトル７に流れ込むような高さに輸尿管８を保持できる高さである。具体的には、輸尿管ホルダ４６が保持する輸尿管８の位置は、採尿受器ホルダ３０と採尿ボトル７との間であって、採尿受器ホルダ３０と採尿ボトル７との高さの中間的な位置が望ましい。具体的な高さ調整は、ネジ部材４２，４３を緩めて、輸尿管用下部保持板４１及び輸尿管用上部保持板４４の屈曲の角度を変えて行う。また、図６に示すように、輸尿管用下部保持板４１及び輸尿管用上部保持板４４の連結位置を、ネジ部材４３が挿嵌されている長穴４１ａ，４４ａの位置を変えることにより変え、輸尿管用保持板４０自体の長さを変えつつ、輸尿管ホルダ４６の高さを変えるようにしてもよい。
【００３６】
そして、次に、採尿受器ホルダ３０のホールド部３１，３２に輸尿管８を通し、載置部３４に採尿受器９を乗せるようにし、また輸尿管ホルダ４６で輸尿管８を係止するようにする。これにより、採尿受器保持装置１による採尿受器９、輸尿管８の寝具５への設置は終了するが、上述の設置手順はあくまでも一例であり、高さの調整手順や設置手順は適宜変えて行えばよい。また、図１及び図５で示す例では、寝具５に横臥している人の右側に採尿受器保持装置１を設置しているが、図７に示すように、左側に設置するようにしてもよく、横臥している人の症状により変えるようにすればよい。左右を変える場合には、補助保持板２１及び輸尿管保持板４０を固定する基台１０の起立板部１１の穴１１ｂ，１１ｃを逆に変えるようにすればよい。
【００３７】
そして、採尿受器保持装置１を介して採尿受器９が寝具５に固定された状態で採尿する場合、まず、寝具５に横臥している人が、採尿受器ホルダ３０のホールド鍔３３等に手を掛けて、図５に示すように、採尿受器ホルダ３０を、ネジ部材３６を回転の中心として回動させ、採尿受器９が寝具５に横臥した人に向かって寝具５の端部から突出するようにする。そして、採尿受器ホルダ３０から採尿受器９を引き出すようにして、尿器に採尿受器９を密着させて採尿を行うようにする。採尿が終わったら、採尿受器９を採尿受器ホルダ３０に戻し、採尿受器ホルダ３０を回動させ、採尿受器ホルダ３０を寝具５の端部に沿う位置に戻すようにする。
【００３８】
以上のような本実施の形態の採尿受器保持装置１によれば、基台１０の底板部１２を寝具５の端部裏面に挿入することで、手摺りがないような布団やベッド４等の寝具であっても、採尿受器９を寝具５の端部上方に寝具５の端面に沿って保持することができる。また、採尿受器９を採尿受器ホルダ３０に自由に動かせるように遊嵌して載置していることから、寝具５に横臥している人が自ら採尿受器９を容易に引き寄せることができる。
【００３９】
また、採尿受器ホルダ３０を回動させることにより採尿受器９が寝具５に横臥した人に向かって寝具５の端部から突出することから、採尿受器９を持ったまま自らの体の近くに引き寄せなくとも、採尿受器ホルダ３０に載置させた状態のまま採尿受器９を体の近くまで移動させることができることから、採尿受器９を使用する人の負担を軽減することができる。
【００４０】
さらに、ホルダ用下部保持板２４とホルダ用上部保持板２８とを連結部分で屈曲させることにより、寝具５の高さや寝具に横臥する人の体の高さに応じて、容易に採尿受器ホルダ３０の保持高さを変えることができる。
【００４１】
さらに、ホルダ用下部保持板２４とホルダ用上部保持板２８のそれぞれに起立方向に沿って長穴２４ａ，２８ａが穿設され、それぞれの長穴２４ａ，２８ａに挿嵌されたネジ部材２７でホルダ用下部保持板２４とホルダ用上部保持板２８とが屈曲可能に連結されていることから、連結する長穴２４ａ，２８ａの位置を変えることによりホルダ用保持板２０の長さ自体を変えることができ、容易に採尿受器ホルダ３０の保持高さを変えることができる。
【００４２】
さらに、ホルダ用下部保持板２４の長穴２４ａと基台１０の起立板部１１とに挿嵌されたネジ部材２６で、ホルダ用下部保持板２４を起立板部１１に扇動可能に固定することで、固定する長穴２４ａの位置を変えて起立板部１１に対するホルダ用下部保持板２４の長さを変えることができ、容易に採尿受器ホルダ３０の保持高さを変えることができる。
【００４３】
さらに、基台１０の起立板部１１に上下に伸びて長穴１１ａが穿設され、ホルダ用保持板２０と長穴１１ａとに挿嵌されたネジ部材２６で、ホルダ用保持板２０を起立板部１１に扇動可能に固定することで、ホルダ用保持板２０の高さ自体を変えることができ、容易に採尿受器ホルダ３０の保持高さを変えることができる。
【００４４】
さらに、下端が基台１０の起立板部１１に固定され、上端がホルダ用保持板２０の略中央に固定された補助保持板２１を備えることから、採尿受器ホルダ３０に強い力が加わっても採尿受器ホルダ３０が傾いたり転倒したりすることを抑えることができる。
【００４５】
さらに、下端が基台１０の起立板部１１に固定され上方に起立する輸尿管用保持板４０と輸尿管用保持板４０の上端に設けられ輸尿管８を遊嵌して保持する輸尿管ホルダ４６とを有することから、採尿受器ホルダ３０と採尿ボトル７との間の輸尿管８を保持することで、輸尿管８のたわみを抑え、輸尿管８が寝具５に横臥している人や介護する人の動作の妨げにならないようにすることができる。
【００４６】
さらに、輸尿管用下部保持板４１と輸尿管用上部保持板４４とを連結部分で屈曲させることにより、輸尿管ホルダ４６の保持高さを変えることにより、輸尿管８を、採尿受器９で採尿した尿が輸尿管８を通って逆流することなく採尿ボトル７に流れ込むような角度に容易に保持することができる。
【００４７】
さらに、それぞれの長穴４１ａ，４４ａに挿嵌されたネジ部材４３で輸尿管用下部保持板４１と輸尿管用上部保持板４４とが屈曲可能に連結されていることから、連結する長穴４１ａ，４４ａの位置を変えることにより輸尿管用保持板４０の長さ自体を変えることができ、容易に輸尿管８の保持高さを変えることができる。
【産業上の利用可能性】
【００４８】
以上のように、採尿受器を寝具の端部上方に寝具の端面に沿って保持することができ、また、採尿受器を採尿受器ホルダに自由に動かせるように遊嵌して載置していることから、寝具に横臥している人が自ら採尿受器を容易に引き寄せることができる採尿受器保持装置を提供することができる。
【図面の簡単な説明】
【００４９】
【図１】本発明に係る採尿受器保持装置の使用の一例を示す説明図である。
【図２】同採尿受器保持装置の構成を示す説明図である。
【図３】同採尿受器保持装置の基台を示す斜視図である。
【図４】同採尿受器保持装置の採尿受器ホルダを示す上面図である。
【図５】同採尿受器保持装置の使用方法を示す説明図である。
【図６】同採尿受器保持装置の他の使用方法を示す説明図である。
【図７】同採尿受器保持装置のさらに他の使用方法を示す説明図である。
【符号の説明】
【００５０】
１・・・・・排尿受器保持装置
４・・・・・ベッド
５・・・・・寝具
７・・・・・採尿ボトル
７ａ・・・・採尿ボトル・ホルダ
８・・・・・輸尿管
９・・・・・採尿受器
１０・・・・基台
１１・・・・起立板部
１１ａ・・・長穴
１１ｂ・・・穴
１１ｃ・・・穴
１２・・・・底板部
２０・・・・ホルダ用保持板
２１・・・・補助保持板
２１ａ・・・下部補助保持板
２１ｂ・・・上部補助保持板
２２・・・・ネジ部材
２３・・・・軸部材
２４・・・・ホルダ用下部保持板
２４ａ・・・長穴
２５・・・・ネジ部材
２６・・・・ネジ部材
２７・・・・ネジ部材
２８・・・・ホルダ用上部保持板
２８ａ・・・長穴
２９・・・・ネジ部材
３０・・・・採尿受器ホルダ
３１・・・・ホールド部
３２・・・・ホールド部
３３・・・・ホールド鍔
３４・・・・載置部
３５・・・・Ｌ字板
３６・・・・ネジ部材
４０・・・・輸尿管保持板
４１・・・・輸尿管用下部保持板
４１ａ・・・長穴
４２・・・・ネジ部材
４３・・・・ネジ部材
４４・・・・輸尿管用上部保持板
４４ａ・・・長穴
４５・・・・軸部材
４６・・・・輸尿管ホルダ
【図１】
2009247757.tif 000003
【図２】
2009247757.tif 000004
【図３】
2009247757.tif 000005
【図４】
2009247757.tif 000006
【図５】
2009247757.tif 000007
【図６】
2009247757.tif 000008
【図７】
2009247757.tif 000009